(57)【要約】【課題】本発明の課題は、複数の室内機が配された空調対象空間全体において単調な気流や温度ムラ等による不快感を解消し、快適な空調を実現することにある。【解決手段】空調対象空間ＳＰに設置された複数の室内機３０を制御する空調制御装置１０であって、吹出気流設定部１２と、設定パターン記憶部１７と、吹出気流変更部１３とを備える。吹出気流設定部１２は、一つの室内機３０の吹出口３０ａからの吹出気流の設定を他の室内機３０の吹出気流の設定に関連させて行うことにより、空調対象空間ＳＰ内の全体気流を形成させる。設定パターン記憶部１７は、全体気流を形成させるための吹出気流の設定パターンを記憶する。吹出気流変更部１３は、設定パターンを切り替える。【選択図】図１
2008116064.tif 000002
【特許請求の範囲】
【請求項１】
空調対象空間（ＳＰ）に設置された複数の室内機（３０）を制御する空調制御装置（１０）であって、
一つの前記室内機（３０）の吹出口（３０ａ）からの吹出気流の設定を他の前記室内機（３０）の前記吹出気流の設定に関連させて行うことにより、前記空調対象空間（ＳＰ）内の全体気流を形成させる吹出気流設定部（１２）と、
前記全体気流を形成させるための前記吹出気流の設定パターンを記憶する設定パターン記憶部（１７）と、
前記設定パターンを切り替える吹出気流変更部（１３）と、
を備える、空調制御装置。
【請求項２】
前記吹出気流の設定は、少なくとも前記吹出気流の方向、前記吹出気流の風量及び前記吹出気流の風温の設定を含む、
請求項１に記載の空調制御装置。
【請求項３】
前記吹出気流変更部（１３）は、所定時間毎に、前記設定パターンを切り替える、
請求項１から３のいずれかに記載の空調制御装置。
【請求項４】
前記室内機毎にサーモオン及びサーモオフ間の切り替えを行うサーモ切替部（１４）を更に備える、
請求項１に記載の空調制御装置。
【請求項５】
前記室内機毎の運転及び運転停止間の切替を行う室内機運転切替部（１５）を更に備える、
請求項１に記載の空調制御装置。
【請求項６】
デマンド制御指令を受信する通信部（１１）を更に備え、
前記デマンド制御指令を受けて、前記吹出気流設定部（１２）が前記吹出気流の設定を変更すること、及び前記室内機運転切替部（１５）が一以上の前記室内機（３０）の運転を停止させることのうち少なくともいずれか一方を行う、
請求項１又は５に記載の空調制御装置。
【請求項７】
前記全体気流として旋回気流を形成する旋回気流モードと、前記旋回気流を形成しない通常気流モードとを切り替えるモード切替部（１６）を更に備え、
前記吹出気流変更部（１３）は、前記モード切替部（１６）からのモード切替指令に応じて前記設定パターンを切り替える、
請求項１に記載の空調制御装置。
【請求項８】
請求項１に記載の空調制御装置（１０）と、
前記空調制御装置（１０）と通信可能であり、前記室内機（３０）及び室外機（２０）を含む空調機と、
を備える空調制御システム。
【請求項９】
空調対象空間（ＳＰ）に設置された複数の室内機（３０）を制御する空調制御方法であって、
一つの前記室内機（３０）の吹出口（３０ａ）からの吹出気流の設定を他の前記室内機（３０）の前記吹出気流の設定に関連させて行うことにより、前記空調対象空間（ＳＰ）内の全体気流を形成させる第１ステップと、
前記全体気流を形成させるための前記吹出気流の設定パターンを記憶する第２ステップと、
前記設定パターンを切り替える第３ステップと、
を備える空調制御方法。
【請求項１０】
空調対象空間（ＳＰ）に設置された複数の室内機（３０）を制御して空調制御を実行するためのコンピュータプログラムであって、
一つの前記室内機（３０）の吹出口（３０ａ）からの吹出気流の設定を他の前記室内機（３０）の前記吹出気流の設定に関連させて行うことにより、前記空調対象空間（ＳＰ）内の全体気流を形成させる第１ステップと、
前記全体気流を形成させるための前記吹出気流の設定パターンを記憶する第２ステップと、
前記設定パターンを切り替える第３ステップと、
を実行させるプログラム。
【発明の詳細な説明】
【技術分野】
【０００１】
本発明は、空調制御装置、空調制御システム、空調制御方法及び空調制御プログラムに関する。
【背景技術】
【０００２】
従来、店舗や飲食店、事務所等の比較的広い空間において空調を行う場合、同空調対象空間内の熱負荷分布や人分布等の空調要求度を考慮することなく、室内機の各吹出口からそれぞれ均等に気流を吹き出させて空調を行っていた。このような均一空調では、空調対象空間内の温度ムラが生じ、ドラフト感を伴う快適性に劣る領域が存在するため、快適性に劣る。
【０００３】
かかる場合において快適性を得るには、空調対象空間における気流制御が重要である。気流制御技術としては、例えば、赤外線センサ等を用いて人体位置に対応する高輻射温度部位を検知し、同情報に基づいて気流制御を行うことにより均一空調から局所空調へ切り替えて空調制御を行うことが知られている（例えば、特許文献１参照）。
【特許文献１】特許第３８０７３０５号明細書
【発明の開示】
【発明が解決しようとする課題】
【０００４】
しかし、上記気流制御は、単一の室内機による気流制御であるため、複数の室内機が配された広い空調対象空間においては十分でない。例えば、隣接した室内機同士による単調な気流が局所空間で相殺され、気流が隅々まで届かない。また、その結果、温度ムラ等が発生するという不具合があった。
【０００５】
そこで、本発明の課題は、複数の室内機が配された空調対象空間全体において単調な気流や温度ムラ等による不快感を解消し、快適な空調を実現することにある。
【課題を解決するための手段】
【０００６】
第１発明に係る空調制御装置は、空調対象空間に設置された複数の室内機を制御する空調制御装置であって、吹出気流設定部と、設定パターン記憶部と、吹出気流変更部とを備える。吹出気流設定部は、一つの室内機の吹出口からの吹出気流の設定を他の室内機の吹出気流の設定に関連させて行うことにより、空調対象空間内の全体気流を形成させる。設定パターン記憶部は、全体気流を形成させるための吹出気流の設定パターンを記憶する。吹出気流変更部は、設定パターンを切り替える。
【０００７】
これにより、複数の室内機が配された空調対象空間全体において単調な気流や温度ムラ等による不快感を解消し、快適な空調を実現することができる。また付随的な効果として、空調対象空間全体に気流感を付与することができるため、設定温度を高めたり一部の室内機の運転を停止したりしても利用者は涼しさを感じることができることから、省エネ効果も向上する。
【０００８】
第２発明に係る空調制御装置は、第２発明の空調制御装置であって、吹出気流の設定は、少なくとも吹出気流の方向、吹出気流の風量及び吹出気流の風温の設定を含む。
【０００９】
これにより、複数の室内機が配された空調対象空間全体において単調な気流や温度ムラ等による不快感を解消し、快適な空調を実現することができる。
【００１０】
第３発明に係る空調制御装置は、第１から第３発明のいずれかの空調制御装置であって、吹出気流変更部は所定時間毎に吹出気流の設定パターンを切り替える。
【００１１】
これにより、単調な気流による不快感が軽減され、快適な空調を実現できる。
【００１２】
第４発明に係る空調制御装置は、第１発明の空調制御装置であって、室内機毎にサーモオン及びサーモオフ間の切り替えを行うサーモ切替部を更に備える。
【００１３】
これにより、冷房時において空調対象空間全体の冷やしすぎ及び除湿能力の低下の双方を防ぎ、全体気流の形成と組み合わせることで、温度ムラによる不快感をより効果的に解消できる。
【００１４】
第５発明に係る空調制御装置は、第１発明の空調制御装置であって、室内機毎の運転及び運転停止間の切替を行う室内機運転切替部を更に備える。
【００１５】
これにより、過剰な能力分の室内機を停止することで消費電力を低減できるとともに、一部運転停止により温度ムラが生じても全体気流の形成と組み合わせることで不快感を解消できる。
【００１６】
第６発明に係る空調制御装置は、第１又は第５発明の空調制御装置であって、デマンド制御指令を受信する通信部を更に備える。同空調制御装置においては更に、デマンド制御指令を受けて、吹出気流設定部が吹出気流の設定を変更すること、及び室内機運転切替部が一以上の室内機の運転を停止させることのうち少なくともいずれか一方を行う。
【００１７】
これにより、デマンド制御の要請に応えることができ、全体気流の形成と組み合わせることで、温度ムラによる不快感もより効果的に解消できる。
【００１８】
第７発明に係る空調制御装置は、第１発明の空調制御装置であって、全体気流として旋回気流を形成する旋回気流モードと、旋回気流を形成しない通常気流モードとを切り替えるモード切替部を更に備える。更に吹出気流変更部は、モード切替部からのモード切替指令に応じて吹出気流の設定パターンを切り替える。
【００１９】
これにより、空調対象空間における状況に合わせた空調制御が可能になり、多様な空調態様を実現できる。
【００２０】
第８発明に係る空調制御システムは、第１発明の空調制御装置と、空調制御装置と通信可能であり室内機及び室外機を含む空調機とを備える。
【００２１】
これにより、複数の室内機が配された空調対象空間全体において単調な気流や温度ムラ等による不快感を解消し、快適な空調を実現することができる。
【００２２】
第９発明に係る空調制御方法は、空調対象空間に設置された複数の室内機を制御する空調制御方法であって、第１ステップから第３ステップを備える。第１ステップにおいては、一つの室内機の吹出口からの吹出気流の設定を他の室内機の吹出気流の設定に関連させて行うことにより、空調対象空間内の全体気流を形成させる。第２ステップにおいては、全体気流を形成させるための吹出気流の設定パターンを記憶する。第３ステップにおいては、設定パターンを切り替える。
【００２３】
これにより、複数の室内機が配された空調対象空間全体において単調な気流や温度ムラ等による不快感を解消し、快適な空調を実現することができる。
【００２４】
第１０発明に係る空調制御プログラムは、空調対象空間に設置された複数の室内機を制御して空調制御を実行するためのコンピュータプログラムであって、第１ステップから第３ステップを備える。第１ステップにおいては、一つの室内機の吹出口からの吹出気流の設定を他の室内機の吹出気流の設定に関連させて行うことにより、空調対象空間内の全体気流を形成させる。第２ステップにおいては、全体気流を形成させるための吹出気流の設定パターンを記憶する。第３ステップにおいては、設定パターンを切り替える。
【００２５】
これにより、複数の室内機が配された空調対象空間全体において単調な気流や温度ムラ等による不快感を解消し、快適な空調を実現させることができる。
【発明の効果】
【００２６】
第１発明に係る空調制御装置では、複数の室内機が配された空調対象空間全体において単調な気流や温度ムラ等による不快感を解消し、快適な空調を実現することができる。また付随的な効果として、空調対象空間全体に気流感を付与することができるため、設定温度を高めたり一部の室内機の運転を停止したりしても利用者は涼しさを感じることができるため、省エネ効果も向上する。
【００２７】
第２発明に係る空調制御装置では、複数の室内機が配された空調対象空間全体において単調な気流や温度ムラ等による不快感を解消し、快適な空調を実現することができる。
【００２８】
第３発明に係る空調制御装置では、単調な気流による不快感が軽減され、快適な空調を実現できる。
【００２９】
第４発明に係る空調制御装置では、空調対象空間全体の冷やしすぎ及び除湿能力の低下の双方を防ぎ、全体気流の形成と組み合わせることで、温度ムラによる不快感もより効果的に解消できる。
【００３０】
第５発明に係る空調制御装置では、過剰な能力分の室内機を停止することで消費電力を低減できるとともに、一部運転停止により温度ムラが生じても全体気流の形成と組み合わせることで不快感を解消できる。
【００３１】
第６発明に係る空調制御装置では、デマンド制御の要請に応えることができ、全体気流の形成と組み合わせることで、温度ムラによる不快感もより効果的に解消できる。
【００３２】
第７発明に係る空調制御装置では、空調対象空間における状況に合わせた空調制御が可能になり、多様な空調態様を実現できる。
【００３３】
第８発明に係る空調制御システムでは、複数の室内機が配された空調対象空間全体において単調な気流や温度ムラ等による不快感を解消し、快適な空調を実現することができる。
【００３４】
第９発明に係る空調制御方法では、複数の室内機が配された空調対象空間全体において単調な気流や温度ムラ等による不快感を解消し、快適な空調を実現することができる。
【００３５】
第１０発明に係る空調制御プログラムでは、複数の室内機が配された空調対象空間全体において単調な気流や温度ムラ等による不快感を解消し、快適な空調を実現させることができる。
【発明を実施するための最良の形態】
【００３６】
図１に、本発明の実施形態に係る空調制御システム１の全体的な構成図を示す。
【００３７】
＜空調制御システムの構成＞
図１に示すように、空調制御システム１は、空調制御装置１０と、空調制御装置１０と通信線等を介して通信可能な室外機２０及び室内機３０を含む空調機と、室内機３０に利用者からの指令信号を送信するリモートコントローラ４０と、電力デマンド制御装置５０とを有する。
【００３８】
空調制御装置１０は、後述するように空調対象空間ＳＰにおいて、気流制御を含む空調制御を行う。室内機３０は空調対象空間ＳＰの天井に複数配されている。各室内機３０は複数個所（図示例では４箇所）に吹出口３０ａを有する。リモートコントローラ４０は、空調対象空間内ＳＰに居る利用者の操作によって指令信号を各室内機３０に送信する。電デマンド制御装置５０は空調設備やその他設備機器の電力デマンドを管理し制御する。
【００３９】
＜空調制御装置の構成＞
図２は、空調制御装置１０の構成を概略的に示す。空調制御装置１０は、情報を送受信するための通信部１１と、吹出気流設定部１２と、吹出気流変更部１３と、サーモ切替部１４と、室内機運転切替部１５と、モード切替部１６と、設定パターン記憶部１７とを有する。吹出気流設定部１２と、吹出気流変更部１３と、サーモ切替部１４と、室内機運転切替部１５と、モード切替部１６とは、ＣＰＵ等からなる空調制御装置１０の制御部に配される。設定パターン記憶部１７は、ＲＡＭやＲＯＭ等の内部メモリやハードディスク等の外部メモリに配される。
【００４０】
通信部１１は、空調制御に必要なデータや情報を空調機或いはサーバ等の管理装置（図示省略）との間で送受信する。また、リモートコントローラ４０を介して空調対象空間ＳＰに居る利用者の要求指令を受信し、上記制御部に送信する。
【００４１】
吹出気流設定部１２は、各室内機３０の吹出気流の設定を行う。吹出気流の設定とは、例えば、吹出気流の方向、吹出気流の風量や風温の設定である。なお、これらの設定の詳細については後述する。
【００４２】
吹出気流の設定は、室内機３０の吹出口３０ａ毎に行われ、空調対象空間ＳＰ内に全体的な気流を形成するための設定パターンは設定パターン記憶部１７に記憶される。この設定パターンは複数記憶される。なお、吹出気流の設定入力は、空調制御装置１０の入力部１８から表示部１９を介して空調管理者や利用者によって行われてもよい。或いは、利用者が携帯電話や端末を介して遠隔にある管理会社のサーバにアクセスし、サーバより提供される入力画面を介して入力されるようにしてもよい。
【００４３】
吹出気流変更部１３は、吹出気流設定部１２により設定されている複数の設定パターンを切り替えて変更する。この切り替えは所定の時間毎に自動的に行ってもよいし、利用者からの要求指令に従って切り替えてもよい。例えば、吹出気流の方向が所定の時間毎に自動的に切り替えられると、利用者にとって気流の慣れを防止し快適性を向上させる。
【００４４】
サーモ切替部１４は、室内機３０毎にサーモオン及びサーモオフ間の切り替えを行う。この切替えは所定の時間毎に自動的に行ってもよいし、他の室内機３０の運転状態に関連させて行ってもよい。また、利用者からの要求指令に従って切り替えてもよい。この切替えにより、時々冷風又は温風を与えることになり、利用者の温度の慣れを防止し快適性を向上させる。また、設定パターンとして、冷房時に一部の室内機３０のみ常にサーモオンにすることにより、サーモオフとサーモオンが短時間の間に繰り返される際に発生する除湿能力の低下を防ぐ一方で、全ての室内機３０が同時にサーモオンすることによる冷やしすぎを防止することができる。例えば、空調対象空間ＳＰの対角線上に位置する室内機３０のみを常にサーモオンにし、旋回気流によって攪拌して、除湿効果が空調対象空間ＳＰ全体に行き渡るようにしてもよい。
【００４５】
室内機運転切替部１５は、室内機３０毎の運転及び運転停止間の切替えを行う。この切替えは所定の時間毎に自動的に行ってもよいし、他の室内機３０の運転状態に関連させて行ってもよい。また、利用者からの要求指令に従って切り替えてもよい。この切替えを行うことにより、過剰な能力分の室内機は運転を停止し、消費電力を低減する。例えば、空調対象空間ＳＰの天井に整列した室内機３０を一つおきに運転停止させる。これにより、室内機３０内にあるファン動力等が削減できる。また、一部の室内機３０の運転が停止していても旋回気流により快適性が確保される。
【００４６】
モード切替部１６は、旋回気流を形成する旋回気流モードと、旋回気流を形成しない通常気流モードとを切り替える。
【００４７】
設定パターン記憶部１７は、空調対象空間ＳＰの全体の吹出気流の設定パターンを複数記憶する。設定パターンは、例えば、吹出気流の方向の設定として右回りの気流、左回りの気流、スイング等のパターンを設定する。
【００４８】
＜吹出気流の設定＞
上述のように、吹出気流の設定には、吹出気流の角度、吹出気流の風量や風温の設定が含まれる。
【００４９】
吹出気流の方向は、例えば、吹出口３０ａの内側に設けられた複数のフラップ（図示省略）の角度を変更することで吹出気流の方向を設定する。この吹出気流の方向は、各室内機の吹出口３０ａ毎に設定でき、他の室内機についての吹出気流の方向の設定に関連付けて設定される。具体的には、図３に示すように、室内機３０Ａの吹出口３０ａ−１の吹出気流の方向が設定されると、その吹出気流と同方向に合わせて隣接する室内機３０Ｂの吹出口３０ａ−１の吹出気流の方向が設定される。次いで、室内機３０Ｂの吹出口３０ａ−２の吹出気流の方向に対し、その吹出気流が空調対象空間ＳＰの壁に沿って旋回するように、室内機３０Ｃの吹出口３０ａ―３の吹出気流の方向が設定される。同様に室内機３０Ｄの吹出口３０ａ−４、室内機３０Ｅの吹出口３０ａ−５、室内機３０Ｆの吹出口３０ａ−６の吹出気流の方向が設定される。
【００５０】
吹出気流の風量は、例えば、室内機３０の内部に設けられ、吹出流路の開口面積を拡大・縮小させる公知の風量調整機構を設けて調節される。この風量調整機構の設定により吹出気流の設定を行う。吹出気流の風温は、設定温度により設定される。また、吹出気流の風温は、冷媒の蒸発目標温度を変更することによっても設定される。この風温の設定は、冷房時であればまず下げて上げることを繰り返し、暖房時であればまず上げて下げることを繰り返すという設定パターンにすると、より快適性が得られる。
【００５１】
＜空調制御装置の処理動作＞
図４は、本実施形態の空調制御装置１による処理の流れを示すフローチャートである。
【００５２】
まず、空調機の運転が開始され（Ｓ１０１ステップ）、利用者からの要求指令等に応じて吹出気流の設定又は記憶された設定パターンの読出しが行われる（Ｓ１０２ステップ）。
【００５３】
次いで、室内機３０は設定パターンに沿って気流制御され運転される（Ｓ１０３ステップ）。所定時間が経過すると（Ｓ１０４ステップ）、新たな設定又は設定パターンの読出しがなされることにより設定パターンの変更がなされる（Ｓ１０５ステップ）。運転の停止指令があれば（Ｓ１０６ステップ）、運転が停止され（Ｓ１０７ステップ）、処理が終了する。
【００５４】
＜実施形態に係る空調制御システムの特徴＞
（１）
上記実施形態に係る空調制御システム１では、空調制御装置１０の吹出気流設定部１２は、一つの室内機３０の吹出口３０ａからの吹出気流の設定を他の室内機３０の吹出気流の設定に関連させて行うことにより、空調対象空間ＳＰ全体において旋回気流等の全体気流を形成することができ、また、吹出気流変更部１３は全体気流を形成した設定パターンを所定の時間毎に切り替えることができる。従って、複数の室内機が配された空調対象空間全体において単調な気流や温度ムラ等による不快感を解消し、快適な空調を実現することができる。
【００５５】
（２）
上記実施形態に係る空調制御システム１では、空調制御装置１０のサーモ切替部１４が室内機３０毎にサーモオン及びサーモオフ間を切り替えるため、空調対象空間ＳＰ全体の冷やしすぎ及び除湿能力の低下の双方を防ぎ、全体気流の形成と組み合わせることで、温度ムラによる不快感もより効果的に解消できる。
【００５６】
（３）
上記実施形態に係る空調制御システム１では、空調制御装置１０の室内機運転切替部１５は、室内機３０毎の運転及び運転停止間の切替えを行うため、過剰な能力分の室内機を停止することで消費電力を低減でき、全体気流の形成と組み合わせることで、温度ムラによる不快感もより効果的に解消できる。
【００５７】
（４）
上記実施形態に係る空調制御システム１では、空調制御装置１０のモード切替部１６は、全体気流として旋回気流を形成する旋回気流モードと、旋回気流を形成しない通常気流モードとを切り替え、吹出気流変更部１３は、モード切替部１６からのモード切替え指令に応じて吹出気流の設定パターンを切り替えるため、空調対象空間ＳＰにおける状況に合わせた空調制御が可能になり、多様な空調態様を実現できる。
【００５８】
＜変形例＞
（Ａ）
空調制御装置１０は、デマンド制御装置５０からの指令を受信した場合、例えばデマンドが所定値以上になった場合、一部の室内機３０の風温を上げている時間或いは下げている時間を短縮する、一部の室内機３０の運転を停止させる等の制御を行うようにしてもよい。これにより、デマンド制御の要請に応えることができ、全体気流の形成と組み合わせることで、温度ムラによる不快感もより効果的に解消できる。
【００５９】
（Ｂ）
利用者からリモートコントローラ４０等を介して設定温度の変更等の要求指令があった場合、利用者の位置を考慮していずれの室内機３０を選択するかを決定できるようにしてもよい。この場合、利用者の位置情報は、各室内機３０に対する利用者の相対位置を把握するものであり、リモートコントローラ４０等のＩＤ情報に対応して設定されていてもよいし、或いは固定された机や椅子に貼られた固有の位置情報を含む１次元バーコードや２次元バーコードを読み取ることによって認識されてもよい。また、利用者の位置情報を入力する手段（管理装置へアクセスして入力画面を介して入力する等）を介して行われてもよい。利用者の位置情報から、吹出気流の方向に沿って利用者の位置の直前又は直後にある室内機３０が選択される。これにより、全体気流の形成に加え、局所空調の要請にも応えることができる。
【００６０】
（Ｃ）
空調対象空間ＳＰにおいて利用者がいない不在エリアがある場合は、その方向への吹出気流は出さないようにしてもよい。この場合、公知の検知手段（赤外線センサ等）を設けて空調対象空間ＳＰにおける利用者の在不在を検知するようにしてもよいし、或いはリモートコントローラ４０等を介して利用者からの運転停止を受けて不在エリアを特定してもよい。これにより、過剰な能力分の室内機を停止することで消費電力を低減でき、全体気流の形成と組み合わせることで、温度ムラによる不快感もより効果的に解消できる。
【産業上の利用可能性】
【００６１】
本発明は、複数の室内機が配された空調対象空間全体において単調な気流や温度ムラ等による不快感を解消し、快適な空調を実現できるという効果を有し、空調制御装置、空調制御システム、空調制御方法及び空調制御プログラムとして有用である。
【図面の簡単な説明】
【００６２】
【図１】本発明の実施形態に係る空調制御システムの全体的な構成図
【図２】本発明の実施形態に係る空調制御装置の概略構成図。
【図３】本発明の実施形態による旋回気流の一態様を示す図。
【図４】本発明の実施形態に係る空調制御装置の処理の流れを示すフローチャート。
【符号の説明】
【００６３】
１          空調制御システム
１０        空調制御装置
１１        通信部
１２        吹出気流設定部
１３        吹出気流変更部
１４        サーモ切替部
１５        室内機運転切替部
１６        モード切替部
１７        設定パターン記憶部
１８        入力部
１９        表示部
２０        室外機
３０        室内機
４０        リモートコントローラ
５０        デマンド制御装置
ＳＰ        空調対象空間
【図１】
2008116064.tif 000003
【図２】
2008116064.tif 000004
【図３】
2008116064.tif 000005
【図４】
2008116064.tif 000006